(57)【要約】【課題】簡素な構造でもレンズ鏡筒を保持することが可能なレンズ鏡筒保持装置及びこのようなレンズ鏡筒保持装置が脱着可能なレンズ鏡筒を提供すること。【解決手段】略環状に形成されており、レンズ鏡筒２０を保持するための保持部１０ａと、この保持部１０ａの内周上に形成され、レンズ鏡筒２０に配された第１のピン２１及び第２のピン２２が挿通される溝部１３と、この溝部１３に連通して設けられ、第１のピン２１を溝部１３に挿入するための第１の挿通溝１１と、溝部１３に連通して設けられ、第２のピン２２を溝部に挿入するための第２の挿通溝１２とを具備し、第１の挿通溝１１の溝深さと円周方向の溝幅とが、上記第２の挿通溝１２の溝深さと円周方向の溝幅と異なるように構成される。【選択図】    図１
2005017375.tif 000002
【特許請求の範囲】
【請求項１】
略環状に形成されており、レンズ鏡筒を保持するための保持部と、
上記保持部の内周上に形成され、レンズ鏡筒に配された第１及び第２のピンが挿通される溝部と、
上記溝部に連通して設けられ、上記第１のピンを上記溝部に挿入するための第１の挿通溝と、
上記溝部に連通して設けられ、上記第２のピンを上記溝部に挿入するための第２の挿通溝と、
を具備し、
上記第１の挿通溝の溝深さと円周方向の溝幅とが、上記第２の挿通溝の溝深さと円周方向の溝幅と異なることを特徴とするレンズ鏡筒保持装置。
【請求項２】
上記第１の挿通溝と上記第２の挿通溝とは、レンズ鏡筒の光軸を挟んで互いに対向する位置に配されることを特徴とする請求項１に記載のレンズ鏡筒保持装置。
【請求項３】
上記保持部に形成されたスリ割部と、
上記スリ割部近傍に配され、上記保持部の径寸法を変化させるための操作部材と、
を更に具備し、
上記第１の挿通溝と上記第２の挿通溝とが配される位置を結ぶ線分が、上記操作部材の操作により上記保持部の径寸法が変化する方向に対して略直交するように、上記第１及び第２の挿通溝が配されることを特徴とする請求項１又は２に記載のレンズ鏡筒保持装置。
【請求項４】
レンズ鏡筒保持装置が脱着可能なレンズ鏡筒であって、
当該レンズ鏡筒の外周上に配され、上記レンズ鏡筒保持装置に形成された第１の挿通溝を介して上記レンズ鏡筒保持装置の保持部内周に形成された溝部に挿通可能な第１のピンと、
当該レンズ鏡筒の外周上であって、光軸を挟んで上記第１のピンと対向する位置に配されており、上記レンズ鏡筒保持装置に形成された第２の挿通溝を介して上記レンズ鏡筒保持装置の保持部内周に形成された溝部に挿通可能な第２のピンと、
を具備し、
上記第１のピンと上記第２のピンとは、それぞれピンの高さと円周方向の幅が異なり、光軸方向の寸法は略等しく構成されることを特徴とするレンズ鏡筒保持装置が脱着可能なレンズ鏡筒。
【発明の詳細な説明】
【０００１】
【発明の属する技術分野】
本発明は、レンズ鏡筒保持装置及びレンズ鏡筒保持装置が脱着可能なレンズ鏡筒に関する。
【０００２】
【従来の技術】
レンズ交換式のカメラにおいては、取り付けるレンズ鏡筒によってその重さが異なり、カメラ本体の重量に比してレンズ鏡筒の重量が大きい場合もある。このような場合、カメラ本体側を三脚にて固定すると、重量バランスが悪くなり、操作勝手が悪くなってしまう。これを解決するために、レンズ鏡筒側にレンズ保持装置としての三脚座と呼ばれる部材を取り付けて、レンズ鏡筒側にて三脚に固定することがある。
【０００３】
このような三脚座とレンズ鏡筒とを取り付ける際には、シャッタレリーズ等により衝撃が加えられてもレンズ鏡筒が動かないように固定する必要がある。このような取り付けの機構として、例えば特許文献１や特許文献２で提案されているような機構がある。
【０００４】
特許文献１で提案されている機構では、レンズ鏡筒側の外周上に設けられた４本のビスを三脚座側に設けられた嵌合溝に嵌合させることで取り付けを行う。このとき４本のビスのうち１本の位置を他の３本に対してずらして配置することで、三脚座とレンズ鏡筒とが特定の位置関係にあるとき以外には、三脚座からレンズ鏡筒が外れないようになっている。
【０００５】
また、特許文献２で提案されている機構では、クランプノブが締め付けられることにより、開閉部が閉じられて三脚座本体が締め付けられ、このとき、三脚座に設けられた複数の突部によってレンズ鏡筒が支持される。
【０００６】
【特許文献１】
特開平５−２４９３５６号公報
【０００７】
【特許文献２】
実公昭６１−２４９６７号公報
【０００８】
【発明が解決しようとする課題】
特許文献１で提案されている取り付けの機構は、１本のビスの位置をずらすことにより特定位置以外でのレンズ鏡筒の脱落を防止しているので、レンズ鏡筒と三脚座との相対位置によっては、嵌合溝に嵌合しているビスは２本だけとなる。しかも、レンズ鏡筒の中心に対し、片側に寄った状態となるので、安定してレンズ鏡筒を保持することが困難となる。また、特許文献２で提案されている機構では、レンズ鏡筒に三脚座を脱着する際に、開閉部を開閉する必要があり、操作が複雑となり、構造もまた複雑になりやすい。
【０００９】
本発明は、上記の事情に鑑みてなされたもので、簡素な構造でもレンズ鏡筒を保持することが可能なレンズ鏡筒保持装置及びこのようなレンズ鏡筒保持装置が脱着可能なレンズ鏡筒を提供することを目的とする。
【００１０】
【課題を解決するための手段】
上記の目的を達成するために、本発明の第１の態様によるレンズ鏡筒保持装置は、略環状に形成されており、レンズ鏡筒を保持するための保持部と、上記保持部の内周上に形成され、レンズ鏡筒に配された第１及び第２のピンが挿通される溝部と、上記溝部に連通して設けられ、上記第１のピンを上記溝部に挿入するための第１の挿通溝と、上記溝部に連通して設けられ、上記第２のピンを上記溝部に挿入するための第２の挿通溝とを具備し、上記第１の挿通溝の溝深さと円周方向の溝幅とが、上記第２の挿通溝の溝深さと円周方向の溝幅と異なる。
この第１の態様によれば、溝深さと円周方向の溝幅とが異なる第１の挿通溝及び第２の挿通溝という２つの挿通溝をレンズ鏡筒保持装置に設けることにより、少ない部品でもレンズ鏡筒を保持することが可能である。
【００１１】
また、本発明の第２の態様によるレンズ鏡筒保持装置は、第１の態様において、上記第１の挿通溝と上記第２の挿通溝とは、レンズ鏡筒の光軸を挟んで互いに対向する位置に配される。
【００１２】
この第２の態様によれば、レンズ鏡筒をより確実に保持することが可能である。
【００１３】
また、本発明の第３の態様によるレンズ鏡筒保持装置は、第１又は第２の態様において、上記保持部に形成されたスリ割部と、上記スリ割部近傍に配され、上記保持部の径寸法を変化させるための操作部材とを更に具備し、上記第１の挿通溝と上記第２の挿通溝とが配される位置を結ぶ線分が、上記操作部材の操作により上記保持部の径寸法が変化する方向に対して略直交するように、上記第１及び第２の挿通溝が配される。
【００１４】
この第３の態様によれば、保持部の径寸法が変化しても挿通溝の位置関係が変化しない。
【００１５】
また、本発明の第４の態様によるレンズ鏡筒は、レンズ鏡筒保持装置が脱着可能なレンズ鏡筒であって、当該レンズ鏡筒の外周上に配され、上記レンズ鏡筒保持装置に形成された第１の挿通溝を介して上記レンズ鏡筒保持装置の保持部内周に形成された溝部に挿通可能な第１のピンと、当該レンズ鏡筒の外周上であって、光軸を挟んで上記第１のピンと対向する位置に配されており、上記レンズ鏡筒保持装置に形成された第２の挿通溝を介して上記レンズ鏡筒保持装置の保持部内周に形成された溝部に挿通可能な第２のピンとを具備し、上記第１のピンと上記第２のピンとは、それぞれピンの高さと円周方向の幅が異なり、光軸方向の寸法は略等しく構成される。
【００１６】
この第４の態様によれば、高さと円周方向の幅が異なり、光軸方向の寸法が略等しく構成された第１のピン及び第２のピンという２本のピンをレンズ鏡筒に設けることにより、少ない部品でもレンズ鏡筒を保持することが可能である。
【００１７】
【発明の実施の形態】
以下、本発明の一実施形態を図面を参照して説明する。
図１は、本発明のレンズ鏡筒保持装置としての機能を有する三脚座１０と、この三脚座１０が脱着可能なレンズ鏡筒２０とを示した外観斜視図である。
【００１８】
三脚座１０には、レンズ鏡筒を保持するための保持部１０ａが略環状に構成されており、この保持部１０ａの内周上には溝部１３が形成されている。また、保持部１０ａの内周上には、レンズ鏡筒側に設けられた第１のピン及び第２のピン（詳細は後で述べる）を溝部１３に案内するための第１の挿通溝１１及び第２の挿通溝１２が設けられている。
【００１９】
ここで、第１の挿通溝１１と第２の挿通溝１２は、溝深さと円周方向の溝幅とが互いに異なるように構成されている。即ち、第１の挿通溝１１は、第２の挿通溝１２よりも溝深さが深く円周方向の溝幅が狭くなるように構成されている。
【００２０】
更に、三脚座１０には、保持部１０ａの径寸法を変化させるための操作部材としてのロックネジ１４が設けられている。また、図１には図示していないが、三脚座１０の裏面には三脚を取り付けるための三脚ネジが設けられている。
【００２１】
また、レンズ鏡筒２０の外周上には、第１のピン２１が設けられている。更にレンズ鏡筒２０の外周上であって、レンズ鏡筒２０のレンズ光軸を挟んで第１のピン２１と対向する位置（即ち、図１において第１のピン２１の真裏に相当する位置）に第２のピン２２が設けられている。これらのピンは、三脚座１０にレンズ鏡筒２０を固定保持するための部材である。
【００２２】
ここで、第１のピン２１と第２のピン２２は、その高さと円周方向の幅が異なり、レンズ光軸方向の寸法は略等しくなるように構成されている。即ち、第１のピン２１は、第２のピン２２よりもピンの高さが高くて円周方向の幅が狭く、かつレンズ光軸方向の幅が溝部１３と略同じ大きさに構成されている。
【００２３】
これらの構成について更に詳しく説明する。図２は、三脚座１０をレンズ鏡筒２０に装着した際の側面断面図である。
【００２４】
即ち、三脚座１０をレンズ鏡筒２０に装着する際には、レンズ鏡筒２０に設けられた第１のピン２１及び第２のピン２２が、三脚座１０に設けられた第１の挿通溝１１及び第２の挿通溝１２に案内されて、溝部１３に挿入される。この状態で三脚座１０又はレンズ鏡筒２０の何れかを回転させることにより、第１のピン２１及び第２のピン２２と溝部１３とが嵌合して、レンズ鏡筒２０が三脚座１０に保持される。
【００２５】
この状態で、三脚ネジ１５に図示しない三脚が取り付けられて、レンズ鏡筒２０及び図示しないカメラ本体の位置が固定される。
【００２６】
図３は、三脚座１０をレンズ鏡筒２０に装着時の正面断面図である。
三脚座１０の保持部１０ａにはスリ割部１０ｂが形成されており、このスリ割部１０ａの近傍にはロックネジ１４が配されている。スリ割部１０ｂは、保持部１０ａの径寸法を線分Ｃ−Ｃ´方向に変化させることが可能なように、線分Ｃ−Ｃ´に直交する方向にスリ割られている。そして、ロックネジ１４の締め付け方向は線分Ｃ−Ｃ´方向に略平行な方向となっている。このように、スリ割部１０ｂ、ロックネジ１４を配することにより、保持部１０ａの径寸法を線分Ｃ−Ｃ´方向に変化させることができる。これにより、レンズ鏡筒２０は、三脚座１０の円周方向に沿って自由に回転させることが可能である。即ち、ロックネジ１４が緩められると、保持部１０ａに形成されたスリ割部１０ｂの間隔が大きくなり、その結果、保持部１０ａのＣ−Ｃ´方向の径寸法が大きくなる。この状態でレンズ鏡筒２０と三脚座１０との相対回転が可能となる。一方、ロックネジ１４が締め付けられると、保持部１０ａに形成されたスリ割部１０ｂの間隔が小さくなり、その結果、保持部１０ａのＣ−Ｃ´方向の径寸法が小さくなる。この状態でレンズ鏡筒２０の外周は、三脚座１０の保持部１０ａの内周により締め付けられて、レンズ鏡筒２０と三脚座１０とが相対回転することがないように固定される。
【００２７】
以上のことから、保持部１０ａのＣ−Ｃ´を結ぶ線分上に第１の挿通溝１１及び第２の挿通溝１２を形成してしまうと、ロックネジ１４の操作状態によっては、レンズ鏡筒２０が装着できなくなることがある。
【００２８】
そこで、本一実施形態では、第１の挿通溝１１及び第２の挿通溝１２を、線分Ｃ−Ｃ´上ではなく、線分Ｃ−Ｃ´と略直交する線分Ａ−Ａ´上に配置する。即ち、スリ割部１０ｂのスリ割方向と略平行となるように第１の挿通溝１１と第２の挿通溝１２とが配置される。このように、線分Ａ−Ａ´上の位置に第１の挿通溝１１及び第２の挿通溝１２を配置すれば、径寸法変化の影響が最小であるので、第１の挿通溝１１及び第２の挿通溝１２の位置が変化することがなく、常にレンズ鏡筒２０に三脚座１０を装着することができる。
【００２９】
ここで、図３のＢ−Ｂ´位置に破線で示されるのは、第１の挿通溝１１及び第２の挿通溝１２から第１のピン２１及び第２のピン２２を溝部１３に嵌合させた後、レンズ鏡筒２０を三脚座１０に対し図中で時計周りに所定量回転させた状態での第１のピン２１及び第２のピン２２の位置である。この状態で、第１のピン２１及び第２のピン２２はそれぞれ溝部１３と嵌合しており、レンズ鏡筒２０が三脚座１０から脱落することがない。さらに、第１のピン２１及び第２のピン２２は、レンズ鏡筒２０の外周上にそれぞれ光軸を挟んで対向する位置に配されているので、溝部１３との円周方向の嵌合位置がレンズ鏡筒２０の一方側に偏ることがない。これにより、常に安定した嵌合状態を維持することができる。また、Ａ−Ａ´位置に図示されている第１のピン２１及び第２のピン２２は、装着時の状態から１８０度回転させた状態である。このとき第１のピン２１と第２のピン２２とが同じ寸法、即ち第１の挿通溝１１と第２のピン２２及び第２の挿通溝１２と第１のピン２１の寸法が同じであれば、１８０度回転させた時に三脚座１０からレンズ鏡筒２０が外れてしまう。これに対し、本一実施形態のように、第１の挿通溝１１と第２のピン２２の寸法及び第２の挿通溝１２と第１のピンの寸法が、それぞれ異なるように構成すれば、１８０度回転時でも三脚座１０からレンズ鏡筒２０が外れてしまうことがない。
【００３０】
また、レンズ鏡筒２０の重量によって受ける力は、線分Ａ−Ａ´方向に対する力が最も強い。このため、第２のピン２２と第１の挿通溝１１を嵌合させ、第１のピン２１と第２の挿通溝１２と嵌合させた状態が、最も安定してレンズ鏡筒２０を保持できる状態である。１８０度の回転位置がわかるようなマーク等を三脚座１０本体及びレンズ鏡筒２０に記しておいてもよい。
【００３１】
以上説明したように、本一実施形態によれば、第１のピン及び第２のピンという２本のピンをレンズ鏡筒に設け、それぞれのピンに対応する寸法の２つの挿通溝を三脚座に設けるという簡素な構造でレンズ鏡筒を保持することが可能である。
【００３２】
図４に本発明の変形例を示す。この変形例は、部材数を増やす代わりに、より確実にレンズ鏡筒を保持可能とするものである。即ち、この変形例においては、三脚座１０側に第３の挿通溝１６及び第４の挿通溝１７を設け、レンズ鏡筒２０側に第３のピン２３及び第４のピン２４（レンズ光軸を挟んで第３のピン２３と対向する位置）が設けられている。第３の挿通溝１６及び第４の挿通溝１７は、溝深さが第２の挿通溝１２よりも浅く、円周方向の溝幅が第２の挿通溝１２よりも広くなるように構成されている。また、第３のピン２３及び第４のピン２４は、ピンの高さが第２のピン２２よりも低く、円周方向の幅が第２のピンよりも広く、かつ、光軸方向の幅が溝部１３の寸法と等しくなるように構成されている。ここで、第３の挿通溝１６と第４の挿通溝１７とは、寸法が等しくとも異なっていてもよい。但し、両者の寸法が異なる場合には、溝深さの深いほうの溝幅が他方の溝幅よりも狭くなるように構成される。このことは、第３のピン２３と第４のピン２４についても同様である。即ち、ピン及び挿通溝の数を増やす場合には、円周方向の幅が広いものほど、溝深さを浅く、それに対応するピンの高さを低くすればよい。
【００３３】
このような構成とすることにより、図５に示すように、例えば、第１のピン２１及び第２のピン２２が装着位置から９０度回転して線分Ｃ−Ｃ´上の位置にあっても第３のピン２３と第４のピン２４が線分Ａ−Ａ´上の位置にくることになる。これにより、図１の構成よりも更に衝撃等に強くなる。一般に撮影においては、カメラを横位置にして撮影を行うことが最も多く、次に縦位置の撮影である。これに対し、カメラを斜めにしての撮影はあまり行われない。したがって、この変形例のようにレンズ鏡筒２０の外周上に９０度づつ等分にピンを配置すれば、上記横位置、縦位置の何れの場合であってもＡ−Ａ´線分に沿った位置にてピンと溝部１３とが嵌合している状態となるので、殆どの撮影の場合において、常に安定した保持状態とすることができる。
【００３４】
以上実施形態に基づいて本発明を説明したが、本発明は上記した実施形態に限定されるものではなく、本発明の要旨の範囲内で種々の変形や応用が可能なことは勿論である。
【００３５】
さらに、上記した実施形態には種々の段階の発明が含まれており、開示される複数の構成要件の適当な組合せにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【００３６】
【発明の効果】
以上詳述したように、本発明によれば、簡素な構造でもレンズ鏡筒を保持することが可能なレンズ鏡筒保持装置及びこのようなレンズ鏡筒保持装置が脱着可能なレンズ鏡筒を提供することができる。
【図面の簡単な説明】
【図１】本発明の一実施形態に係るレンズ鏡筒保持装置を有する三脚座とレンズ鏡筒の外観斜視図である。
【図２】レンズ鏡筒に三脚座を装着した際の側面断面図である。
【図３】レンズ鏡筒に三脚座を装着した際の正面断面図である。
【図４】本発明の変形例について示した外観斜視図である。
【図５】変形例の正面断面図である。
【符号の説明】１０…三脚座、１０ａ…保持部、１０ｂ…スリ割部、１１…第１の挿通溝、１２…第２の挿通溝、１３…溝部、１４…ロックネジ、１５…三脚ネジ、１６…第３の挿通溝、１７…第４の挿通溝、２０…レンズ鏡筒、２１…第１のピン、２２…第２のピン、２３…第３のピン、２４…第４のピン
【図１】
2005017375.tif 000003
【図２】
2005017375.tif 000004
【図３】
2005017375.tif 000005
【図４】
2005017375.tif 000006
【図５】
2005017375.tif 000007